(57)【要約】【課題】柱材を反転させることなく全ての面を塗装することができるように、且つ、柱材を容易に支持することができる支持部材及び支持構造を提供する。【解決手段】架台に取り付けられてコラム柱を支持する支持部材２００であって、前記コラム柱を載置する載置板２４０と、前記架台に取り付け可能に形成された下板２１０及び爪部２３０ａと、を具備し、載置板２４０は、前記コラム柱の長手方向を水平方向へ向けた状態で、且つ、前記コラム柱の側面が水平方向に対して傾けられた状態で、前記コラム柱を支持する。【選択図】図１
2018051511.tif 000002
【特許請求の範囲】
【請求項１】
架台に取り付けられて断面角型の柱材を支持する支持部材であって、
前記柱材を載置する載置部と、
前記架台に取り付け可能に形成された取付部と、
を具備し、
前記載置部は、
前記柱材の長手方向を水平方向へ向けた状態で、且つ、前記柱材の側面が水平方向に対して傾けられた状態で、前記柱材を支持する、
支持部材。
【請求項２】
前記載置部は、
互いに直交する一対の斜面を有し、当該一対の斜面によって前記柱材の側面を支持する、
請求項１に記載の支持部材。
【請求項３】
前記取付部は、
前記架台に対して当該架台の長手方向に移動可能に形成されている、
請求項１又は請求項２に記載の支持部材。
【請求項４】
前記架台は、
当該架台の長手方向に延びる板状部を有し、
前記取付部は、
前記板状部の上面と当接する当接部と、
前記当接部から前記板状部の側面に沿って延びると共に、前記板状部の下面に沿って屈曲するように形成された爪部と、
を具備する、
請求項３に記載の支持部材。
【請求項５】
前記載置部は、
当該載置部に載置される前記柱材の長手方向が前記架台の長手方向と直交するように形成されている、
請求項１から請求項４までのいずれか一項に記載の支持部材。
【請求項６】
前記架台と、
請求項１から請求項５までのいずれか一項に記載の支持部材と、
を具備する、
支持構造。
【発明の詳細な説明】
【技術分野】
【０００１】
本発明は、断面角型の柱材を支持する支持部材及び支持構造の技術に関する。
【背景技術】
【０００２】
従来、断面角型の柱材を支持する支持部材及び支持構造の技術は公知となっている。例えば、特許文献１に記載の如くである。
【０００３】
特許文献１には、角パイプ状のコラムを有する仕口コアと、仕口コアの壁面に仮溶接された梁取付部とを有する仕口を支持する仕口用溶接支持台が記載されている。この仕口用溶接支持台は、仕口を載置する載置部と、載置部に設けられ仕口の梁取付部を支持する支持機構とを有しており、これにより仕口を支持している。
【０００４】
しかしながら、特許文献１に記載の技術においては、コラムの長手方向を鉛直方向に向けて仕口を支持しているため、コラムの長さが極端に長くなると容易に支持することができないという問題があった。
【０００５】
また、コラムを寝かせた状態で支持する技術も公知となっている。しかしながら、コラムの塗装を行う際には、裏面に塗装するためにクレーンによる反転作業が必要となるため、作業が煩雑となるという問題があった。
【先行技術文献】
【特許文献】
【０００６】
【特許文献１】特許第５５６３８４５号公報
【発明の概要】
【発明が解決しようとする課題】
【０００７】
本発明は以上の如き状況に鑑みてなされたものであり、その解決しようとする課題は、柱材を反転させることなく全ての面を塗装することができるように、且つ、柱材を容易に支持することができる支持部材及び支持構造を提供するものである。
【課題を解決するための手段】
【０００８】
本発明の解決しようとする課題は以上の如くであり、次にこの課題を解決するための手段を説明する。
【０００９】
即ち、請求項１においては、架台に取り付けられて断面角型の柱材を支持する支持部材であって、前記柱材を載置する載置部と、前記架台に取り付け可能に形成された取付部と、を具備し、前記載置部は、前記柱材の長手方向を水平方向へ向けた状態で、且つ、前記柱材の側面が水平方向に対して傾けられた状態で、前記柱材を支持するものである。
【００１０】
請求項２においては、前記載置部は、互いに直交する一対の斜面を有し、当該一対の斜面によって前記柱材の側面を支持するものである。
【００１１】
請求項３においては、前記取付部は、前記架台に対して当該架台の長手方向に移動可能に形成されているものである。
【００１２】
請求項４においては、前記架台は、当該架台の長手方向に延びる板状部を有し、前記取付部は、前記板状部の上面と当接する当接部と、前記当接部から前記板状部の側面に沿って延びると共に、前記板状部の下面に沿って屈曲するように形成された爪部と、を具備するものである。
【００１３】
請求項５においては、前記載置部は、当該載置部に載置される前記柱材の長手方向が前記架台の長手方向と直交するように形成されているものである。
【００１４】
請求項６においては、前記架台と、請求項１から請求項５までのいずれか一項に記載の支持部材と、を具備するものである。
【発明の効果】
【００１５】
本発明の効果として、以下に示すような効果を奏する。
【００１６】
請求項１においては、柱材を反転させることなく全ての面を塗装することができるように、且つ、柱材を容易に支持することができる。
【００１７】
請求項２においては、柱材を反転させることなく全ての面を塗装することができるように、且つ、柱材を容易に支持することができる。
【００１８】
請求項３においては、柱材を載置する位置（架台の長手方向の位置）を適宜変更することができる。
【００１９】
請求項４においては、架台から脱落することなく、架台に対して取付部を移動させることができる。
【００２０】
請求項５においては、架台の長手方向に柱材を並べて載置できるので、より多くの柱材を載置することができる。
【００２１】
請求項６においては、柱材を反転させることなく全ての面を塗装することができるように、且つ、柱材を容易に支持することができる。
【図面の簡単な説明】
【００２２】
【図１】（ａ）本発明の一実施形態に係る支持部材を示した上方斜視図。
【図２】本発明の一実施形態に係る支持構造を示した左側面図。
【図３】本発明の一実施形態に係る支持構造がコラム柱を支持している状態を示した平面図。
【図４】本発明の一実施形態に係る支持構造がコラム柱を支持している状態を示した正面図。
【図５】本発明の一実施形態に係る支持構造がコラム柱を重ねて支持している状態を示した正面図。
【００２３】
以下では、図中の矢印に基づいて、前後方向、左右方向及び上下方向を定義して説明を行う。
【００２４】
まず、図１を用いて本発明の一実施形態に係る支持部材２００について説明する。
【００２５】
支持部材２００は、コラム柱２を集積保管する際に、当該コラム柱２を支持するものである。コラム柱２は、建築構造用に使用される角型鋼管柱である。詳細は後述するが、支持部材２００は、Ｈ型鋼で形成された架台１００に取り付けられた状態で使用される。支持部材２００は、下板２１０、支持板２２０、側板２３０及び載置板２４０を具備する。
【００２６】
下板２１０は、支持部材２００の下部を構成する部分である。下板２１０は、板面を上下方向へ向けた矩形板状に形成される。
【００２７】
支持板２２０は、コラム柱２を支持する部分である。支持板２２０は、板面を前後方向へ向けた板状に形成される。支持板２２０は、略矩形の上端部がＶ字状に切り欠かれたような形状をしている（Ｖ字状の切欠部を有している）。当該切欠部は、下端部で互いに直交する２つの斜面によって形成される。当該２つの斜面は、それぞれ水平方向に対して４５度傾斜するように形成される。支持板２２０は、下板２１０の前後中央において、当該下板２１０の左端から右端に亘って形成される。支持板２２０は、下板２１０に対して溶接等により固定される。
【００２８】
側板２３０は、支持部材２００の左部及び右部を構成する部分である。側板２３０は、下板２１０の左端部近傍及び右端部近傍にそれぞれ設けられると共に、支持板２２０の前後にそれぞれ設けられる。つまり、側板２３０は、計４つ形成される。側板２３０は、板面を左右方向へ向けた板状に形成され、下板２１０に載置される。側板２３０は、下板２１０及び支持板２２０に対して溶接等により固定される。
【００２９】
支持板２２０の前側に形成された側板２３０と、支持板２２０の後側に形成された側板２３０とは前後対称に形成される（同じ形状のものが前後対称となるように配置される）。以下では、支持板２２０の後側に形成された側板２３０に注目して説明を行う。
【００３０】
側板２３０は、側面視略矩形状であってその後上部が斜めに切り欠かれたような形状をしている。側板２３０には、爪部２３０ａが形成される。
【００３１】
爪部２３０ａは、架台１００に取り付けられる部分である。爪部２３０ａは、側板２３０の後端部（下板２１０の後端部よりも後方に位置する部分）が下方に（下板２１０の下面よりも下方の位置まで）延びると共に、その下端部が前方へ屈曲するように形成される。これにより、爪部２３０ａと下板２１０との間に左方、右方及び前方が開放された隙間が形成される。
【００３２】
載置板２４０は、コラム柱２が載置される部分である。載置板２４０は、支持板２２０の切欠部の斜面に沿って延びる板状に形成される。このため、左右の載置板２４０同士がなす角度は９０度となる。載置板２４０の前後方向の幅は、支持板２２０の板厚（前後方向の長さ）よりも大きく形成される。載置板２４０は、支持板２２０の切欠部の２つの斜面それぞれに設けられる。載置板２４０は、支持板２２０に対して溶接等により固定される。載置板２４０には斜面２４０ａが形成される。
【００３３】
斜面２４０ａは、載置板２４０の上斜め方向を向く板面である。左右の載置板２４０の斜面２４０ａによって、正面視略Ｖ字型の凹部が形成される。
【００３４】
このように構成される支持部材２００は、コラム柱２を集積保管するための支持構造１に用いられる。以下では、図２から図４を用いて、支持部材２００が用いられる支持構造１について説明する。
【００３５】
支持構造１は、架台１００及び当該架台１００に取り付けられる支持部材２００を具備するものである。
【００３６】
架台１００は、Ｈ型鋼によって形成される。図２に示すように、Ｈ型鋼によって形成された架台１００は、上フランジ１１０、下フランジ１２０及び当該上フランジ１１０と下フランジ１２０とを接続するウェブ１３０から形成される。架台１００は、適宜の部材を用いて下フランジ１２０が下方から支持されることにより、地面から所定の高さの位置に配置される。
【００３７】
また、図３に示すように、架台１００は、長手方向を左右方向に向けて配置される。架台１００は、複数（本実施形態においては２つ）設けられる。複数の架台１００は、互いに間隔をおいて、前後に並べて設けられる。
【００３８】
図２に示すように、このように形成された架台１００の上に支持部材２００が取り付けられる。支持部材２００は、下板２１０（の下面）が架台１００の上フランジ１１０（の上面）と当接するように設けられる。また、支持部材２００は、側板２３０の爪部２３０ａと下板２１０との間に形成される隙間に、上フランジ１１０が挿入されるように設けられる。具体的には、爪部２３０ａの下方に延びる部分が上フランジ１１０の前後面に沿うように、且つ、爪部２３０ａの前後方向に延びる部分が上フランジ１１０の下面に沿うように設けられる。
【００３９】
このように取り付けられた支持部材２００は、下板２１０と爪部２３０ａによって、前後方向及び上下方向の動きが規制される。これにより、支持部材２００は、架台１００から脱落することなく、架台１００に対して当該架台１００の長手方向（左右方向）に移動（スライド）可能となる。支持部材２００は、架台１００の左端部又は右端部から、架台１００の上フランジ１１０が支持部材２００の爪部２３０ａと下板２１０との間に形成される隙間に挿入されることで、架台１００に取り付けることができる。
【００４０】
図３に示すように、支持部材２００は、１つの架台１００に対して複数（本実施形態においては４つ）設けられる。複数の支持部材２００は、互いに左右方向に間隔をおいて設けられる。また、前側の架台１００に設けられる支持部材２００と、後側の架台１００に設けられる支持部材２００とは、左右方向の位置を合わせて設けられる。
【００４１】
このように構成される支持構造１において、図３に示すように、コラム柱２は、長手方向を前後方向へ向けて（架台１００の長手方向と直交するように）支持部材２００に載置される。コラム柱２は、前側の架台１００に設けられた支持部材２００と、後側の架台１００に設けられた支持部材２００とによって支持される。
【００４２】
図４に示すように、支持部材２００は、左右一対の載置板２４０によってコラム柱２の側面を支持する。このとき、左右一対の載置板２４０（の斜面２４０ａ）によって形成される正面視Ｖ字型の凹部にコラム柱２が嵌まり込むこととなる。
【００４３】
このように構成される支持構造１（支持部材２００）によってコラム柱２を支持することにより、コラム柱２の側面が水平方向に対して４５度傾けられた状態で、コラム柱２を支持することができる。これにより、コラム柱２の一面が完全に下方へ向けられることがないので、コラム柱２が支持部材２００によって支持された状態のまま、つまり反転作業をすることなく、コラム柱２の側面を塗装することができる。
【００４４】
また、支持部材２００は架台１００に対して左右方向にスライドさせることができるので、支持部材の位置（架台１００の長手方向の位置）を適宜設定することができる。また、支持部材２００の互いの間隔を詰めることで、より多くのコラム柱２を集積保管することができる。また、コラム柱２の長手方向が架台１００の長手方向と直交しているので、コラム柱２を架台１００の長手方向に並べることにより、より多くのコラム柱２を集積保管することができる。
【００４５】
また、支持構造１（支持部材２００）は、左右一対の載置板２４０（の斜面２４０ａ）によって形成される正面視Ｖ字型の凹部にコラム柱２が嵌まり込むことにより、コラム柱２を左右方向に動き難い状態で支持することができる。したがって、安定した状態でコラム柱２を支持することができる。
【００４６】
また、図５に示すように、コラム柱２の長手方向端部には、四方に延びる梁２ａが形成されていることがある。このような梁２ａを有するコラム柱２をトラックに積み込む（直置きする）際には、安定性を考慮して、また数多く積めるように、コラム柱２の側面を水平方向に対して４５度傾けた状態とされることが多い。本実施形態に係る支持構造１（支持部材２００）においては、コラム柱２が元から傾けられた状態で支持されているので、積み込み時にクレーンで回転させる作業を行う必要がなくなる。したがって、積み込み作業を簡素化することができる。
【００４７】
また、図５に示すように、支持構造１（支持部材２００）によって梁２ａを有するコラム柱２を傾けた状態で支持することで、当該コラム柱２の梁２ａ上に他のコラム柱２を載置することが可能となる。これにより、コラム柱２を重ねて積み上げることができる。したがって、比較的少ない数の架台１００及び支持部材２００で、比較的多くのコラム柱２を載置することができる。
【００４８】
また、本実施形態に係る支持構造１（支持部材２００）によれば、梁２ａを有するコラム柱２を傾けた状態で支持することができるので、傾けた状態を維持するために従来使用されていたりん木を必要としない。したがって、りん木の準備が不要となり、またりん木の破損等の問題も解消することができる。
【００４９】
以上の如く、本実施形態に係る支持部材２００は、架台１００に取り付けられてコラム柱２（断面角型の柱材）を支持する支持部材２００であって、前記コラム柱２を載置する載置板２４０（載置部）と、前記架台１００に取り付け可能に形成された下板２１０及び爪部２３０ａ（取付部）と、を具備し、前記載置板２４０は、前記コラム柱２の長手方向を水平方向へ向けた状態で、且つ、前記コラム柱２の側面が水平方向に対して傾けられた状態で、前記コラム柱２を支持するものである。
このように構成することにより、コラム柱２を反転させることなく全ての面を塗装することができるように、且つ、コラム柱２を容易に支持することができる。
【００５０】
また、前記載置板２４０は、互いに直交する一対の斜面２４０ａを有し、当該一対の斜面２４０ａによって前記コラム柱２の側面を支持するものである。
このように構成することにより、コラム柱２を反転させることなく全ての面を塗装することができるように、且つ、コラム柱２を容易に支持することができる。
【００５１】
また、前記下板２１０及び爪部２３０ａは、前記架台１００に対して当該架台１００の長手方向に移動可能に形成されているものである。
このように構成することにより、コラム柱２を載置する位置（架台１００の長手方向の位置）を適宜変更することができる。
【００５２】
また、前記架台１００は、当該架台１００の長手方向に延びる上フランジ１１０（板状部）を有し、前記下板２１０及び爪部２３０ａは、前記上フランジ１１０の上面と当接する下板２１０（当接部）と、前記下板２１０から前記上フランジ１１０の側面に沿って延びると共に、前記上フランジ１１０の下面に沿って屈曲するように形成された爪部２３０ａと、を具備するものである。
このように構成することにより、架台１００から脱落することなく、架台１００に対して下板２１０及び爪部２３０ａを移動させることができる。
【００５３】
また、前記載置板２４０は、当該載置板２４０に載置される前記コラム柱２の長手方向が前記架台１００の長手方向と直交するように形成されているものである。
このように構成することにより、架台１００の長手方向にコラム柱２を並べて載置できるので、より多くのコラム柱２を載置することができる。
【００５４】
また、本実施形態に係る支持構造１は、前記架台１００と、支持部材２００と、を具備するものである。
このように構成することにより、コラム柱２を反転させることなく全ての面を塗装することができるように、且つ、コラム柱２を容易に支持することができる。
【００５５】
なお、本実施形態に係るコラム柱２は、断面角型の柱材の一形態である。
また、本実施形態に係る上フランジ１１０は、板状部の一形態である。
また、本実施形態に係る下板２１０及び爪部２３０ａは、取付部の実施の一形態である。
また、本実施形態に係る載置板２４０は、載置部の実施の一形態である。
【００５６】
以上、本発明の一実施形態を説明したが、本発明は上記構成に限定されるものではなく、特許請求の範囲に記載された発明の範囲内で種々の変更が可能である。
【００５７】
例えば、本実施形態においては、支持部材２００はコラム柱２を支持するものとしたが、支持部材２００が支持する対象はこれに限定されるものではなく、支持部材２００は断面角型の柱材であれば、任意のものを支持することができる。
【００５８】
また、本実施形態においては、支持板２２０及び載置板２４０によってコラム柱２の側面が水平方向に対して傾けられた状態でコラム柱２を支持するものとしたが、これに限定されるものではなく、任意の構成により支持部材２００を傾けて支持することができる。
【００５９】
また、本実施形態においては、左右の載置板２４０同士がなす角度は、９０度である（左右の載置板２４０は互いに直交する）ものとしたが、これに限定されるものではなく、支持する柱材に応じて任意の角度とすることができる。また、本実施形態においては、左右の載置板２４０の傾斜角度はそれぞれ４５度であるものとしたが、これに限定されるものではなく、任意の角度とすることができる。
【００６０】
また、本実施形態においては、支持部材２００は、Ｈ型鋼で形成された架台１００に取り付けられるものとしたが、支持部材２００が使用される架台１００はこれに限定されるものではなく、支持部材２００は任意の架台に使用することができる。
【符号の説明】
【００６１】
１          支持構造
１００      架台
２００      支持部材
２１０      下板
２３０ａ    爪部
２４０      載置板
【図１】
2018051511.tif 000003
【図２】
2018051511.tif 000004
【図３】
2018051511.tif 000005
【図４】
2018051511.tif 000006
【図５】
2018051511.tif 000007